(57)【要約】      （修正有）【課題】家庭内に設置される電話機等の通信装置に服薬管理機能を付与し、在宅の患者自身または患者の家族や介護士等による服薬管理をサポートして服薬忘れや薬切れを防止するのに好適な服薬管理機能を有する通信装置を提供する。【解決手段】薬各々の服薬すべき時間を示す服薬時間情報および一回当たりの服薬量を示す服薬量情報および総量を示す薬量情報に係る服薬関連データを入力する服薬関連データ入力手段と、薬各々の外観写真を当該薬と関連付けて記憶する手段と、服薬時間が到来した旨と服薬すべき薬の外観等の情報を表示する手段と、異変や薬の残量不足に係る通知条件や通報先を登録しておき、通知条件に合致した場合に所定の宛先へ異変や薬の残量不足のアラームを通報する手段を有する。【選択図】図１
2014194716.tif 000002
【特許請求の範囲】
【請求項１】
電話機能またはデータ通信機能を備え、自通信装置が管理する服薬者の服薬に係る服薬関連データを管理する通信装置であって、
１以上の薬の種類を識別する薬識別情報および前記薬の各々の服薬すべきタイミングに係る服薬タイミング情報および前記薬の各々の一回当たりの服薬量に係る服薬量情報および前記薬の各々の量に係る薬量情報を服薬関連データとして自通信装置が備える操作部またはネットワークを介して所定の情報源から入力する服薬関連データ入力手段と、前記服薬管理データ入力手段が入力した服薬関連データを１以上の服薬者を識別する服薬者識別情報と関連付けて登録する服薬関連データ登録手段と、前記服薬者の各々が服薬すべき薬および当該薬の服薬タイミングを提示する服薬タイミング提示手段と、を有し、
前記服薬タイミング提示手段は、前記服薬関連データ登録手段を参照し、服薬すべきいずれかの薬の服薬タイミングが到来したか否かを判定し、いずれかの薬の服薬タイミングが到来したと判定した場合に、当該薬の服薬タイミングが到来した旨の情報を自通信装置が備える表示部に表示するまたは自通信装置が備える鳴動部により所定の鳴動音を鳴動すると共に、自通信装置が備える操作部により前記薬を服薬した旨の予め定められた特定操作が為されたか否かを監視し、
前記特定操作が為されたならば、前記服薬タイミングが到来した旨の情報の表示または鳴動を停止し、前記服薬関連データ登録手段に記憶されている当該薬の量を１回の服薬分を減じた値に更新し、
前記更新した当該薬の量の値が所定値以下になった場合に、当該薬の残量に係る情報を前記表示部に表示する、または自通信装置が備える通信機能により予め定められた宛先へ通知することを特徴とする服薬管理機能を有する通信装置。
【請求項２】
請求項１に記載の通信装置であって、
前記特定操作が為される毎に、当該服薬タイミングに対応して当該薬を服薬した旨の服薬履歴情報を前記服薬者識別情報と関連付けて記憶する服薬履歴記憶手段と、異変の有無を判定する異変判定条件を前記服薬者識別情報と関連付けて登録する異変判定条件登録手段と、をさらに有し、
前記服薬タイミング提示手段が服薬すべき薬および当該薬の服薬タイミングを提示してから所定の時間が経過しても前記特定操作が為されない場合に、前記服薬履歴記憶手段を参照し、当該服薬者の服薬履歴が前記異変判定条件登録手段に登録されている判定条件に合致したならば、当該服薬者の異変に係る情報を自通信装置が備える通信機能により予め定められた宛先へ通報することを特徴とする服薬管理機能を有する通信装置。
【請求項３】
請求項１または２に記載の通信装置であって、
前記服薬関連データ登録手段は、前記薬の各々を自通信装置が備える映像入力部より入力した外観写真を当該薬と関連付けて記憶し、
服薬すべきいずれかの薬の服薬タイミングが到来した場合に、前記服薬タイミング管理手段は、当該薬の外観写真および当該薬の服薬タイミングが到来した旨の情報を自通信装置が備える表示部に表示することを特徴とする服薬管理機能を有する通信装置。
【請求項４】
請求項１〜３のいずれかに記載の通信装置であって、
前記服薬者識別情報と対応付けて複数の鳴動パターンを登録する鳴動パターン登録手段をさらに有し、
いずれかの薬の服薬タイミングが到来した場合に、前記服薬タイミング提示手段は当該服薬者識別情報に対応した鳴動パターンで鳴動することを特徴とする服薬管理機能を有する通信装置。
【発明の詳細な説明】
【技術分野】
【０００１】
本発明は、在宅の患者自身やその家族または介護士等による服薬管理をサポートする機能を、一般的な電話機やデータ機器に一体化した通信装置に関する。
【背景技術】
【０００２】
近年、高齢者人口の増加に伴い、服薬管理が必要な何らかの持病を持つ高齢者が増加の一途で、その人数は病院や介護施設が介護出来る数を超えており、今後、在宅での患者がさらに増加すると思われる。その場合、在宅の患者自身または仕事や家事で忙しい患者の家族または多くの被介護者を巡回して介護する多忙な巡回介護士が、患者の服薬を管理する必要があり、服薬忘れが懸念される。
【０００３】
服薬管理に係る技術として、患者の服薬を管理する服薬管理装置と、通信回線を介して前記服薬管理装置に接続され前記患者が使用する端末装置から成る服薬管理システムに関する技術が知られている（例えば、特許文献１）。
【０００４】
この技術は、患者が服薬を完了すべき予定時刻を過ぎてもナースコール子機から服薬完了情報が送られてこないまま、第１の所定時間（例えば、３０分）が経過したとき、患者に服薬を促すための報知をナースコール子機にて行い、さらに第２の所定時間（例えば、６０分）が経過したとき、患者が服薬を完了していないことを当該患者の服薬を管理する看護師等に報知するものであり、看護師側において患者の服薬忘れを把握することを可能とするものである。
【０００５】
しかしながら、特許文献１に記載された技術は、患者の傍にあるナースコール子機を介して、看護師が患者の服薬状況を把握する、医療施設内での運用を前提にした専用のシステムであって、家庭へ設置することは配慮されていない。具体的には、患者宅で運用する場合に必要となる薬の在庫管理や、薬の知識に疎い患者自身またはその家族が服薬を管理することへの配慮が不足している。さらに、複数の持病を患っていて同時に複数の医療機関から多種多様な薬を投与されている患者の居る家庭や、患者が複数居る家庭においては、服薬忘れ以上に、服薬する薬の種類を間違える心配もある。
【先行技術文献】
【特許文献】
【０００６】
【特許文献１】特開２００９−１６３５３４号公報
【発明の概要】
【発明が解決しようとする課題】
【０００７】
そこで、本発明の課題は、家庭内に設置される電話機やデータ機器等の一般的な通信装置に服薬管理機能を付与し、在宅の患者自身または患者の家族や介護士等による服薬管理をサポートし、服薬忘れ、薬切れ、服薬する薬の誤飲を防止するのに好適な服薬管理機能を有する通信装置を提供することにある。
【課題を解決するための手段】
【０００８】
上記課題を解決するために、本発明は、電話機能またはデータ通信機能を備え、自通信装置が管理する服薬者の服薬に係る服薬関連データを管理する通信装置であって、１以上の薬の種類を識別する薬識別情報および前記薬の各々の服薬すべきタイミングに係る服薬タイミング情報および前記薬の各々の一回当たりの服薬量に係る服薬量情報および前記薬の各々の量に係る薬量情報を服薬関連データとして自通信装置が備える操作部またはネットワークを介して所定の情報源から入力する服薬関連データ入力手段と、前記服薬管理データ入力手段が入力した服薬関連データを１以上の服薬者を識別する服薬者識別情報と関連付けて登録する服薬関連データ登録手段と、前記服薬者の各々が服薬すべき薬および当該薬の服薬タイミングを提示する服薬タイミング提示手段と、を有し、前記服薬タイミング提示手段は、前記服薬関連データ登録手段を参照し、服薬すべきいずれかの薬の服薬タイミングが到来したか否かを判定し、いずれかの薬の服薬タイミングが到来したと判定した場合に、当該薬の服薬タイミングが到来した旨の情報を自通信装置が備える表示部に表示するまたは自通信装置が備える鳴動部により所定の鳴動音を鳴動すると共に、自通信装置が備える操作部により前記薬を服用した旨の予め定められた特定操作が為されたか否かを監視し、前記特定操作が為されたならば、前記服薬タイミングが到来した旨の情報の表示または鳴動を停止し、前記服薬関連データ登録手段に記憶されている当該薬の量を１回の服用分を減じた値に更新し、前記更新した当該薬の量の値が所定値以下になった場合に、当該薬の残量に係る情報を前記表示部に表示する、または自通信装置が備える通信機能により予め定められた宛先へ通知することを特徴とする。
【発明の効果】
【０００９】
本発明によれば、服薬タイミングの到来に加え、服薬量や薬の外観等を表示するので、服薬忘れ、誤飲を防止できる。しかも、家庭に設置される一般的な電話機やデータ機器に服薬管理をサポートする服薬管理機能を付与するので、経済的であると共に、専用の設置スペースが不要なので、家庭内設置に好適な服薬管理機能を有する通信装置を提供することが出来る。また、本発明装置は、特定の医療機関と連携する必要はなく（連携してもよい）、服薬管理する対象の薬は、任意の薬局で購入した任意の薬でもよく、また同時に管理する薬の種類や服薬者の数に制限はなく、柔軟である。
【００１０】
さらに、通信機能として、日常的に使用する電話機能やメール通信機能を使用するので、薬切れが近づいた旨の情報等の通報先の登録や変更において、既存の電話帳やメールアドレス帳を利用することが可能であり、通報先の登録や変更が簡単であるという利点がある。
【図面の簡単な説明】
【００１１】
【図１】本発明装置の内部ブロック構成を含む全体図
【図２】服薬関連データ登録部１７の登録内容の例
【図３】本発明装置の動作フローチャート
【発明を実施するための形態】
【００１２】
以下、本発明の実施形態について、図面を用いて説明する。図１は、本発明による服薬機能を有する通信装置１（以下、本装置１と略す）の内部ブロック構成を含む全体図である。まず、全体の構成と動作について説明する。
【００１３】
本装置１は、電話機，携帯電話機，ファクシミリ等の電話機器、または、通信機能を有するパーソナルコンピュータ、電子メール装置等のデータ機器に、後述する服薬管理機能を付与した装置である。なお、服薬管理機能はソフトウェアで実現するので、本装置１のサイズは、従来の電話機器やデータ機器と同等であり、家庭内設置に適している。
【００１４】
薬２は、患者（服薬者または服薬管理対象者と言うこともある）が通院している医療機関や、患者宅近傍の薬局から購入したＮ種類の薬である。服薬管理者（患者自身またはその家族や介護士）は、本装置１の操作部１１及び映像入力部１５を操作して、薬の種類・服薬時間・服薬者ＩＤ、薬の外観写真等の服薬に係る情報（以下、服薬情報と略すこともある）を入力する。
【００１５】
これらの情報の一部、または全部を、例えば、医療機関が運営している健康管理サーバ５の所定のサイトからダウンロードすることも可能である。
【００１６】
また、これらの情報の改竄を防止し、服薬管理の安全を期すために、服薬情報を入力する際に、ＩＤやパスワードを入力するようにしてもよい（図示せず）。
【００１７】
本装置１は、入力された服薬情報により、服薬すべき時間帯（タイミングと言うこともある）が到来すると、所定の鳴動音で呼び出すと同時に、当該薬の名称・外観写真・服薬者氏名等を表示する。これにより、服薬者の服薬忘れ、誤飲を防止する。服薬後、予め定められた操作が為されたならば、服薬関連データ登録部１７登録されている当該薬の残量より、１回の服薬分を減じた値に更新し、薬の残量を管理する。
【００１８】
本装置１の、服薬者の服薬状況は、ネットワーク３を介して、健康管理サーバ５でも管理されており、遠隔地の医療機関／看護師／家族等も前記服薬者の服薬状況をいつでも把握できる。なお、ネットワーク３は、電話網，ＩＰ（Ｉｎｔｅｒｎｅｔ  Ｐｒｏｔｏｃｏｌ）網，携帯電話網等である。
【００１９】
また、健康管理サーバ５は、患者の健康状態や服薬状況等をアップしておくサーバであり、医療機関や介護機関が運営する特定のＷｅｂサイト、または、患者側のホームページであってもよい。
【００２０】
さらに、本装置１は、服薬管理対象者毎の服薬時間、服薬量、異変の可能性や薬切れが近づいた旨等を通知する条件やその通報先等を登録しておくことができる。これにより、服薬すべき時間から一定時間が経過しても服薬したことを示す予め定められた特定操作（例えば、＃１押下）が入力されないことが所定回数連続した場合や、薬残量が所定値以下になった場合に、所定の通報先４へ服薬管理対象者の異変や残薬状況を通報することが可能である。なお、通報先４は、例えば、服薬管理対象者が通院している医療機関，普段よく掛かるホームドクター，介護士や家族の携帯電話機等である。
【００２１】
次に、本装置１の内部ブロック構成について詳細に説明する。本装置１は、通信端末機能部１０、操作部１１、表示／鳴動部１２、通信制御部１３、映像入力部１５、服薬関連データ入力部１４、服薬管理部１６、服薬関連データ登録部１７、時計／タイマー１８から構成される。
【００２２】
通信端末機能部１０は、電話機，ファクシミリ装置，電子メール装置，データ通信機器等の一般的な通信装置としての機能を提供する手段である。通信端末機能部１０の詳細な説明は割愛する。操作部１１は、テンキー，ファンクションキー，キーボード，タッチパネル，マウス等の本装置１を操作する手段である。表示／鳴動部１２は、本装置１を操作する者へ、画像情報や音声情報を表示／鳴動する手段であり、ＬＣＤやＬＥＤ等の表示デバイス、およびスピーカーやブザー等の鳴動デバイスを含む。通信制御部１３は、ネットワーク３を介して通報先４や健康管理サーバ５と通信する手段である。
【００２３】
服薬関連データ入力部１４は、操作部１１をキー操作して入力された薬２の服薬情報（薬の種類、薬量、１回当たりの服薬量、服薬時間帯、服薬者ＩＤ、通知条件等）、または映像入力部１５が撮影した薬２もしくはその袋の外観や説明書の一部等を接写した画像データ、または通信制御部１３，ネットワーク３を介して所定の情報源（例えば、健康管理サーバ５）からダウンロードした服薬情報や画像データを入力し、服薬関連データ登録部１７へ出力する手段である。なお、映像入力部１５は、例えば、カメラ付電話装置が備える映像カメラやスチルカメラである。
【００２４】
服薬管理部１６は、服薬管理対象者の服薬に係る情報処理を実行する手段であり、服薬関連データ登録部１７に登録されたデータに基づいて、服薬管理対象者毎の服薬タイミングを監視し、服薬すべき所定時刻が到来すると、所定の鳴動音で服薬を促すと同時に、当該薬の名称・外観写真・服薬者氏名等を表示し、時計／タイマー１８の服薬監視タイマーをスタートする。服薬後、予め定められた特定操作が、操作部１１より為されたならば、服薬関連データ登録部１７に登録されている当該薬の残量を、１回の服薬分を減じた値に更新する。これにより、薬の残量を管理すると同時に、通信端末機能部１０と連携し、通信制御部１３より、ネットワーク３を介して健康管理サーバ５に服薬状況を送信する。
【００２５】
図２は、服薬関連データ登録部１７に登録された内容の１例であり、列２０１には服薬管理対象者、列２０２には薬を識別する薬識別情報（薬の名前等）が登録されると共に、薬の残量が記憶されている。
【００２６】
列２０３には服薬時間帯、および一回当たりの服薬量が登録されている。服薬管理部１６は、時計／タイマー１８の時計による現在時刻とこの列２０３を対比して服薬タイミングの到来を検知する。
【００２７】
列２０４には通知条件が登録されている。この通知条件は、服薬管理対象者の異変の可能性を判定する条件（例えば、服薬なし連続３回）、または薬切れが近づいた旨のアラームを、列２０５に登録されている通報先へ通報する条件（例えば、残量３日分）である。
【００２８】
図３は本装置１の動作フローチャートである。以下、図１，図２を併用して、本装置１の動作フローを説明する。本フローは本装置１の電源が投入された状態からスタートする（Ｓ３００）。
【００２９】
新規または登録済みの服薬管理対象者の服薬情報が服薬関連データ入力部より入力されると（Ｓ３１０）、入力された服薬情報の内容を服薬関連データ登録部１７に登録する、または該当する項目を変更／更新し（Ｓ３１１）、Ｓ３２０へ進む。なお、登録済みの薬を補給した場合、Ｓ３１１で更新するデータは薬の量である。薬の残量は、薬を補給した量を操作部１１から入力する毎に、補給前の残量と補給した量の合算値（自動計算）が列２０２に記憶される。
【００３０】
Ｓ３２０において、服薬管理部１６は、通信端末機能部１０および通信制御部１３と連携し、健康管理サーバ５から服薬管理情報の送信要求があるか否か、または現在時刻が予め設定されている定期的な送信タイミング（例えば、服薬後の即時）か否かを判定し、ＹＥＳであれば健康管理サーバへ服薬履歴等の情報を送信し（Ｓ３２１）、Ｓ３３０へ進む。Ｓ３２０でＮＯであれば、Ｓ３２１をスキップしてＳ３３０へ進む。
【００３１】
Ｓ３３０において、服薬管理部１６は、服薬関連データ登録部１７に登録されている服薬時間帯の設定内容を参照し（図２の列２０３）、現在時刻がいずれかの服薬時間帯か否かを判定し、ＹＥＳであれば、服薬監視タイマー（時計／タイマー１８内）をスタートした上で（Ｓ３３１）、表示／鳴動部１２を制御して、服薬すべき時刻が到来した旨を含む服薬する情報を表示すると共に、服薬を促す鳴動（例えば、５分毎に１分間鳴動）し（Ｓ３３２）、服薬した旨の特定操作の入力を待つ（Ｓ３４０）。Ｓ３３０でＮＯであれば、Ｓ３１０に戻る。なお、Ｓ３３２で表示する薬情報は、映像入力部１５から入力した当該薬やその袋の外観も含む。また、服薬を促す鳴動パターンは任意であるが、本装置１が電話機能を有する場合は、通常の着信鳴動とは異なる鳴動パターンであることが望ましい。さらに、服薬対象者が複数居る場合は、服薬対象者毎に異なる鳴動パターンを服薬関連データ登録部１７に登録してもよい（図示せず）。
【００３２】
Ｓ３４０において、本装置１を操作する者が、操作部１１により服薬した旨の特定操作をすると（Ｓ３４０，ＹＥＳ）、服薬管理部１６は、服薬情報の表示／鳴動を停止し、服薬関連データ登録部１７に登録されている服薬履歴を更新すると共に、当該薬の残量を１回の服薬分を減じた値に更新し（Ｓ３４１）、Ｓ３５０へ進む。
【００３３】
Ｓ３４０でＮＯの場合、タイマー値の延伸操作（例えば、＃＃押下）が無く（Ｓ３４４，ＮＯ）、タイマーが満了（例えば、６０分）していなければ（Ｓ３４３，ＮＯ）、Ｓ３４０に戻り、タイマーが満了した場合は（Ｓ３４３，ＹＥＳ）、Ｓ３４１へ進む。
【００３４】
タイマー値の延伸操作があった場合（Ｓ３４４，ＹＥＳ）、タイマー値を延伸し（Ｓ３４５）、Ｓ３４０に戻る。このタイマー値の延伸操作は、服薬が食後（例えば、３０分）と指定されていて、その食事が遅れた場合に行う操作である。なお、タイマー値の延伸処理は、例えば、Ｓ３３１でスタートしたタイマーをリセット（再スタート）すればよい。
【００３５】
Ｓ３５０において、服薬管理部１６は、服薬関連データ登録部１６に登録されている、薬残量に係る通知条件（図２の列２０４の下段）を参照し、今回服薬された薬の残量が通知条件の量以上か否かを判定する。薬残量が通知条件の量未満であれば通知条件に合致であり（Ｓ３５０，ＹＥＳ）、服薬関連データ登録部１７に登録されている通報先を参照し（図２の列２０５）、指定の通報先へ、薬切れが近づいた旨のアラームを通報する（Ｓ３５１）。
【００３６】
ところで、服薬した旨の特定操作待ちのまま、タイマーが満了した場合（Ｓ３４３，ＹＥＳ）、Ｓ３４１において、服薬管理部１６は、今回服薬しなかったとして服薬履歴を更新する。その場合、Ｓ３５０において、服薬管理部１６は、関連データ登録部１６に登録されている服薬履歴（図示せず）が、異変に係る通知条件（図２の列２０４の上段、例えば服薬無し連続３回）に合致する否かを判定し、合致した場合（Ｓ３５０，ＹＥＳ）、服薬管理対象者の身に異変の可能性（例えば、家族の留守中に倒れた）がある旨のアラームを指定の通報先へ通報し（Ｓ３５１）、Ｓ３１０に戻る。Ｓ３５０で通知条件に合致しなければ（Ｓ３５０，ＮＯ）、Ｓ３５１をスキップしてＳ３１０に戻る。
【００３７】
なお、旅行や外出等で、定期的な服薬情報データ入力が出来ないことが予め分かっている場合は、服薬管理対象者自身または家族が操作部１１を操作して、その間のＳ３５１による異変／異常の通報を停止するように設定してもよい（図示せず）。また、この一時的な通報の停止処理は、スケジュール機能（例えば、通信端末機能部１０が備える機能）と連動して、自動的に処理することや、通信端末機能部１０の機能を利用して出先からリモートで停止処理することも可能である（図示せず）。
【００３８】
以上、本発明の一実施の形態について説明した。本実施形態によれば、服薬管理者毎に登録された服薬情報，通知条件，通報先等の、木目細かい服薬管理を実行できると共に、適切な通報先へ、薬の残量不足や服薬管理対象者の異変の可能性を迅速に通報できる。
【００３９】
また、本装置は、服薬管理対象者の服薬状況を日常的に管理・サポートする服薬管理機能を、一般的な電話機やデータ機器と一体化しているので、新たな通信装置としての設置スペースが不要であると共に、日常的に使用されるので、装置としての故障を迅速に発見でき、メンテナンス性に優れている。従って、高齢者等の服薬管理対象者の居る家族または見守るべき独居老人が住む住居に設置するのに好適である。
【００４０】
なお、本装置は、複数の服薬管理者毎に異なる通報先を設定できるので、複数の服薬管理者が暮らす、介護施設や福祉施設における、共用の通信装置としても好適である。
【００４１】
ところで、本装置は、服薬管理者自身が携帯する携帯電話機またはスマートホンであってもよい。その場合、服薬管理者が外出や旅行する際に、服薬管理者自身が本装置を携帯するので、出先での服薬管理が可能である。
【００４２】
さらに、日々の服薬状況はネットワーク３を介して健康管理サーバ５でも管理されるので、遠隔地の医療機関／看護師／家族等も、服薬管理対象者の服薬状況をいつでも把握出来ると共に、本装置が故障した場合やデータを消失した場合であっても、データの回復が可能である、
【符号の説明】
【００４３】
１  ・・・・本発明による服薬管理機能を有する通信装置
２  ・・・・薬
３  ・・・・ネットワーク
４  ・・・・通報先
５  ・・・・健康管理サーバ
１０  ・・・通信端末機能部
１１  ・・・操作部
１２  ・・・表示／鳴動部
１３  ・・・通信制御部
１４  ・・・健康管理データ入力部
１５  ・・・映像入力部
１６  ・・・服薬管理部
１７  ・・・服薬関連データ登録部
１８  ・・・時計／タイマー
【図１】
2014194716.tif 000003
【図２】
2014194716.tif 000004
【図３】
2014194716.tif 000005